(57)【要約】【課題】フォトセンサの投受光面の汚れを検知して係員に通知できる、センサ汚れ検知回路を提供する。【解決手段】フォトセンサ３１内のフォトトランジスタ（Ｔｒ）３３の出力電圧レベル（センサレベルＶｉｎ）と、汚れ判定基準値ＶＬとを比較する。フォトトランジスタ（Ｔｒ）３３のセンサレベルＶｉｎは、受光量が減るに従い増大する。このため、フォトトランジスタ（Ｔｒ）３３または発光ダイオード（ＬＥＤ）３２に汚れが付着すると、フォトトランジスタ（Ｔｒ）３３の受光量が減り、フォトトランジスタ（Ｔｒ）３３のセンサレベルＶｉｎが増大する。従って、センサレベルＶｉｎの大きさを判定することにより、フォトセンサ３１の汚れを検知する。【選択図】図１
2008041713.tif 000002
【特許請求の範囲】
【請求項１】
発券装置に設備される、投光部と受光部とを有するフォトセンサの汚れを検知するためのセンサ汚れ検知回路であって、
前記フォトセンサの受光部に投光部からの光が入射する状態において、該受光部の出力電圧レベルを検出するセンサレベル検出部と、
前記フォトセンサの汚れを判定するために使用される汚れ判定基準値を記憶する汚れ判定基準値記憶部と、
前記受光部の出力電圧レベルと前記汚れ判定基準値とを比較し、前記受光部の出力電圧レベルが前記汚れ判定基準値よりも大きい場合に、フォトセンサの投受光部に汚れが発生していると判定するセンサレベル判定部と、
前記センサレベル判定部により、フォトセンサに汚れが発生していると判定された場合に、警報信号を出力する警報出力部と、
を備えることを特徴とするセンサ汚れ検知回路。
【請求項２】
前記警報出力部により警報信号が出力された場合に、該警報信号を表示する表示部を
備えることを特徴とする請求項１に記載のセンサ汚れ検知回路。
【請求項３】
前記汚れ判定基準値記憶部には、各フォトセンサごとに複数の汚れ判定基準値が設定されており、
前記センサレベル判定部は、受光部の出力電圧レベルと前記各汚れ判定基準値とを比較することにより、フォトセンサの汚れの程度を判定し、
前記表示部は、フォトセンサの汚れの程度の情報を表示するように
構成されたことを特徴とする請求項１または請求項２に記載のセンサ汚れ検知回路。
【請求項４】
前記受光部の出力電圧レベルと、検出物の有無を判定するための論理判定基準値とを比較することにより、検出対象物体の有無を検知する検出物有無判定部を
備えることを特徴とする請求項１から３のいずれかに記載のセンサ汚れ検知回路。
【請求項５】
発券装置に設備される、投光部と受光部とを有するフォトセンサの汚れを検知するためのセンサ汚れ検知回路におけるセンサ汚れ検知方法であって、
前記センサ汚れ検知回路内の制御部により、
前記フォトセンサの受光部に投光部からの光が入射する状態において、該受光部の出力電圧レベルを検出するセンサレベル検出手順と、
前記フォトセンサの汚れを判定するために使用される汚れ判定基準値を記憶する汚れ判定基準値記憶手順と、
前記受光部の出力電圧レベルと前記汚れ判定基準値とを比較し、前記受光部の出力電圧レベルが前記汚れ判定基準値よりも大きい場合に、フォトセンサの投受光部に汚れが発生していると判定するセンサレベル判定手順と、
前記センサレベル判定手順により、フォトセンサに汚れが発生していると判定された場合に、警報信号を出力する警報出力手順と、
が行われることを特徴とするセンサ汚れ検知方法。
【発明の詳細な説明】
【技術分野】
【０００１】
本発明は、発券装置内のフォトセンサの汚れを検知し、フォトセンサが汚れたことを係員に通知できる、センサ汚れ検知回路及びセンサ汚れ検知方法に関するものである。
【背景技術】
【０００２】
切符などの券売機に使用される発券装置は、利用者が切符を購入しようとする際にロール状の券紙（ロール紙）を切断、印刷、必要によっては磁気情報の書き込み等をして券片として切断して発行している。このような発券装置の構成例を図６に示す。図６に示す発券装置１において、２はロール状の券紙（ロール紙）、３はロール紙２を搬送路に送り出す送りガイドローラ、４はロール紙２を印刷部へ搬送するためのロール紙送りローラ、５はロール紙送りローラ４を回転させるステッピングモータ、７は切符の印刷面に所定の文字を印字するための印刷ヘッド、６は印刷ヘッドに対向するプラテン、８はロール紙から切符を切り出す回転式のロータリーカッタ、１０は切符の方向を９０度回転させるターン部、２０は切符の磁気面（磁気コート面）に磁気ヘッドによりエンコードデータを書き込むためのエンコード部、２１は切符の磁気面にデータを書き込むためのライトヘッド（Ｗ）、２２はライトヘッド（Ｗ）への押さえロール、２３は切符の磁気面に書き込まれたデータを読み取るためのリードヘッド（Ｒ）、２４はリードヘッド（Ｒ）への押さえロールを示している。
【０００３】
上記構成において、切符の券紙はロール紙２をロータリーカッタ８で切断することにより得られる。例えば、幅５７．５ｍｍのロール紙２を３０ｍｍごとに切断し、３０ｍｍ×５７．５ｍｍのサイズの券を発券する。ロール紙２の表面には印字を行うための印刷面が形成され、裏面には磁気データを書き込むための磁気面（磁気コート面）が形成されている。
【０００４】
ロータリーカッタ８で切断された切符は、ターン部１０へ送られる。ターン部１０内には、切符を９０度回転させる機構を備えている（図示せず）。ターン部１０で９０度方向回転させられた切符はエンコード部２０に送られる。エンコード部２０では、切符の磁気面（磁気コート面）に対して、ライトヘッド（Ｗ）２１により所定のエンコードデータを書込む。また、リードヘッド（Ｒ）２２より切符に書き込まれたデータを読み出し、正常に書き込まれていることをチェックする。また、装置全体は制御装置１１によって制御されている。
【０００５】
ところで、上記発券装置においては、ロール紙２の有無や機構のポジションをフォトセンサで検出しており、発券装置内には多くの（場合によっては、１０個以上の）フォトセンサが使用されている。例えば、ロール紙２の紙切れを検知するための用紙切れ検知センサ１２や、切符への磁気データの書込みタイミングを検知する書込みタイミング検知センサ１３や、切符が発券装置から排出されたことを検出する切符排出検知センサ１４等が使用されている。なお、検知センサ１２、１３、１４は、それぞれ投光部と受光部とを相対向させて使用する透過型のフォトセンサである。
【０００６】
このようなフォトセンサの回路の例を、図７に示す。図７（Ａ）に示すフォトセンサ回路３０は、フォトセンサ３１と比較回路３９から構成されている、フォトセンサ３１は、投光側の発光ダイオード（ＬＥＤ）３２と、受光側のフォトトランジスタ（Ｔｒ）３３を備えている。ロール紙などの検出対象物は、このフォトトランジスタ（Ｔｒ）３３と発光ダイオード（ＬＥＤ）３２との間を通過することにより検知される。
【０００７】
発光ダイオード（ＬＥＤ）３２のカソード側には、該発光ダイオード（ＬＥＤ）３２をＯＮ、ＯＦＦ制御するトランジスタ３５が接続されており、該トランジスタ３５をフォトＯＮ信号によりＯＮさせることにより、電源ＶＣＣ側から抵抗（Ｒ）３４を介して、発光ダイオード（ＬＥＤ）３２に電流が流れる。この発光ダイオード（ＬＥＤ）３２に流れる電流の大きさは、電源電圧ＶＣＣと抵抗（Ｒ）３４とで決まる電流値となる（実際には、発光ダイオード（ＬＥＤ）３２およびトランジスタ３５における電圧降下分が影響する）。
【０００８】
そして、比較回路３９では、フォトトランジスタ（Ｔｒ）３３の出力電圧（センサレベルＶｉｎ）の信号と、論理判定基準値Ｖｒｅｆとを比較する。図７（Ｂ）に示すように、フォトトランジスタ（Ｔｒ）３３に発光ダイオード（ＬＥＤ）３２からの光が入光し、フォトトランジスタ（Ｔｒ）３３がＯＮすると、フォトトランジスタ（Ｔｒ）３３のコレクタ電圧（センサレベルＶｉｎ）が低下し、論理判定基準値Ｖｒｅｆより低くなる。また、発光ダイオード（ＬＥＤ）３２からの光が遮光され、フォトトランジスタ（Ｔｒ）３３がＯＦＦすると、フォトトランジスタ（Ｔｒ）３３のコレクタ電圧（センサレベルＶｉｎ）が上昇し、論理判定基準値Ｖｒｅｆより高くなる。比較回路３９では、センサレベルＶｉｎの信号と、論理判定基準値Ｖｒｅｆとを比較することにより、フォトセンサ３１のオンオフ、すなわち、ロール紙２等の検出物の有無を検知する。
【０００９】
ところで、発券装置においては、ロール紙２を切断するために埃が多く発生しやすく、フォトセンサ３１の投光部や受光部に埃が汚れとして付着しやすい傾向がある。このため、発券装置の待機中あるいはメンテナンス時にフォトセンサの汚れ（または劣化）をチェックしている。このチェックでは、フォトセンサが正常に機能しているかどうかを検知するため、投光側の光量（電流）を減少させて、例えば、光量を半分程度にしてフォトセンサの機能を確認している。この方法は、ハーフチェックと呼ばれ、例えば、発光ダイオード（ＬＥＤ）３２に直列に接続された抵抗（Ｒ）３４の値を大きくし、光量を５０％程度に減少することにより行っている。
【００１０】
しかしながら、上記ハーフチェックでは、単に、フォトセンサ３１のＯＮ、ＯＦＦ機能チェックを行うものであり、センサに付着した埃などの汚れや、汚れの程度を検知できないとい難点があった。また、発光ダイオード（ＬＥＤ）３２に流す電流を変化させるためのハードウェアが必要となり、フォトセンサ３１の使用数が増えるほど、そのコストが増大するという問題があった。
【００１１】
なお、従来技術の自動発券機ユニットのクリーニング装置がある（例えば、特許文献１を参照）。この特許文献１の自動発券機ユニットのクリーニング装置は、自動発券機ユニット内のクリーニングを容易、かつ、短時間で行うことを目的としており、このために、自動発券機ユニット内の各種センサの検出光の光路中および各センサの検出部の表面に付着したチケット用用紙の切りくずあるいは塵埃等をセンサ近傍に配置したエア供給管のエア供給口より供給したクリーニング用エアにより除去する。あるいは、チケット用用紙の搬送路内をクリーニングカードを往復させることにより接触型センサあるいは搬送路内のチケット用用紙の切りくずあるいは塵埃等を除去する。
【００１２】
しかしながら、この特許文献１の自動発券機ユニットのクリーニング装置は、上述したような、ハーフチェックではセンサに付着した埃などの汚れを検知できないという問題や、フォトセンサの使用数が増えるほど、ハードウェアコストが増大するという問題を解決しようとするものではない。
【特許文献１】特開２００１−１８８９２６号公報
【発明の開示】
【発明が解決しようとする課題】
【００１３】
上述したように、ロール紙を用いた発券装置においては、数多くのフォトセンサが使用されており、このフォトセンサの機能チェックのためにハーフチェックを行っているが、ハーフチェックは、単に、フォトセンサのＯＮ、ＯＦＦ機能チェックを行うものであり、センサに付着した埃などの汚れを検知できないという問題があった。また、発光ダイオード（ＬＥＤ）に流す電流を変化させるためのハードウェアが必要となり、フォトセンサの使用数が増えるほど、そのコストが増大するという問題があった。
【００１４】
本発明はこのような問題を解決するためになされたもので、その目的は、フォトセンサの汚れ、および汚れの程度を検知し、フォトセンサが汚れたことを係員に通知できる、センサ汚れ検知回路及びセンサ汚れ検知方法を提供することにある。
【課題を解決するための手段】
【００１５】
本発明は、上記課題を解決するためになされたものであり、本発明のセンサ汚れ検知回路は、発券装置に設備される、投光部と受光部とを有するフォトセンサの汚れを検知するためのセンサ汚れ検知回路であって、前記フォトセンサの受光部に投光部からの光が入射する状態において、該受光部の出力電圧レベルを検出するセンサレベル検出部と、前記フォトセンサの汚れを判定するために使用される汚れ判定基準値を記憶する汚れ判定基準値記憶部と、前記受光部の出力電圧レベルと前記汚れ判定基準値とを比較し、前記受光部の出力電圧レベルが前記汚れ判定基準値よりも大きい場合に、フォトセンサの投受光部に汚れが発生していると判定するセンサレベル判定部と、前記センサレベル判定部により、フォトセンサに汚れが発生していると判定された場合に、警報信号を出力する警報出力部と、を備えることを特徴とする。
このような構成により、切符等の発券を行う発券装置に使用されるフォトセンサにおいて、受光部（フォトトランジスタ等）に投光部（発光ダイオード等）からの光を入射させた状態で、受光部の出力電圧レベルと、汚れ判定基準値とを比較する。受光部の出力電圧レベルは、受光量が減るに従い増大する。このため、受光部または発光部に汚れが付着すると受光部の受光量が減り、受光部の出力電圧レベルが増大する。従って、受光部の出力電圧レベルが増大したことを検知することにより、フォトセンサの汚れを検知する。
これにより、フォトセンサの汚れを検知でき、フォトセンサが汚れたことを係員に通知できる。
【００１６】
また、本発明のセンサ汚れ検知回路は、前記警報出力部により警報信号が出力された場合に、該警報信号を表示する表示部を備えることを特徴とする。
これにより、フォトセンサの汚れを係員が容易に知ることができる。
【００１７】
また、本発明のセンサ汚れ検知回路は、前記汚れ判定基準値記憶部には、各フォトセンサごとに複数の汚れ判定基準値が設定されており、前記センサレベル判定部は、受光部の出力電圧レベルと前記各汚れ判定基準値とを比較することにより、フォトセンサの汚れの程度を判定し、前記表示部は、フォトセンサの汚れの程度の情報を表示するように構成されたことを特徴とする。
このような構成により、フォトセンサの投受光面の汚れを検知する際に、汚れ判定基準値を複数設定する。そして、受光部の出力電圧レベルを複数の汚れ判定基準値と比較することにより、フォトセンサの汚れの程度を判定する。
これにより、フォトセンサの汚れの程度を判定でき、フォトセンサの清掃の緊急度を係員に通知することができる。
【００１８】
また、本発明のセンサ汚れ検知回路は、前記受光部の出力電圧レベルと、検出物の有無を判定するための論理判定基準値とを比較することにより、検出対象物体の有無を検知する検出物有無判定部を備えることを特徴とする。
このような構成により、センサ汚れ検知回路内に、受光部の出力電圧レベルと論理判定基準値とを比較する機能を設け、検出対象物の有無を検知する。
これにより、センサ汚れ検知回路により、センサの汚れ検知と共に、検出物の有無検出が行える。このため、ハードウェア構成を簡略化することができる。
【００１９】
また、本発明のセンサ汚れ検知方法は、発券装置に設備される、投光部と受光部とを有するフォトセンサの汚れを検知するためのセンサ汚れ検知回路におけるセンサ汚れ検知方法であって、前記センサ汚れ検知回路内の制御部により、前記フォトセンサの受光部に投光部からの光が入射する状態において、該受光部の出力電圧レベルを検出するセンサレベル検出手順と、前記フォトセンサの汚れを判定するために使用される汚れ判定基準値を記憶する汚れ判定基準値記憶手順と、前記受光部の出力電圧レベルと前記汚れ判定基準値とを比較し、前記受光部の出力電圧レベルが前記汚れ判定基準値よりも大きい場合に、フォトセンサの投受光部に汚れが発生していると判定するセンサレベル判定手順と、前記センサレベル判定手順により、フォトセンサに汚れが発生していると判定された場合に、警報信号を出力する警報出力手順と、が行われることを特徴とする。
このような手順により、切符等の発券を行う発券装置に使用されるフォトセンサにおいて、受光部（フォトトランジスタ等）に投光部（発光ダイオード等）からの光を入射させた状態で、受光部の出力電圧レベルと、汚れ判定基準値とを比較する。受光部の出力電圧レベルは、受光量が減るに従い増大する。このため、受光部または発光部に汚れが付着すると受光部の受光量が減り、受光部の出力電圧レベルが増大する。従って、受光部の出力電圧レベルが増大したことを検知することにより、フォトセンサの汚れを検知する。
これにより、フォトセンサの汚れを検知でき、フォトセンサが汚れたことを係員に通知できる。
【発明の効果】
【００２０】
本発明のセンサ汚れ検知回路においては、フォトセンサの受光部（フォトトランジスタ等）に投光部（発光ダイオード等）からの光を入射させた状態で、受光部の出力電圧レベルと、汚れ判定基準値とを比較するようにしたので、これにより、フォトセンサの汚れを検知でき、フォトセンサが汚れたことを係員に通知できる。
【発明を実施するための最良の形態】
【００２１】
次に本発明を実施するための最良の形態について図面を参照して説明する。
【００２２】
［第１の実施の形態］
図１は、本発明によるセンサ汚れ検知回路の第１の実施の形態の構成例を示す図である。
図１に示すセンサ汚れ検知回路では、図７（Ａ）に示すフォトセンサ回路３０に、新たにセンサ汚れ検知回路４０を追加した構成となっている。なお、図１に示す構成例では、センサ汚れ検知回路４０に接続されるフォトセンサ３１が１つだけの例を示しているが、実際には、複数のフォトセンサが接続されている。また、本発明のセンサ汚れ検知回路においては、投光部と受光部とを相対向させて使用する透過型のフォトセンサを対象としている。
【００２３】
図１に示すセンサ汚れ検知回路４０において、制御部４１はＣＰＵを含み回路全体を統括制御するための制御部である。
センサレベル検出部４２は、フォトセンサ３１のフォトトランジスタ（Ｔｒ）３３に発光ダイオード（ＬＥＤ）３２側からの光が入射する状態において、フォトトランジスタ（Ｔｒ）３３の出力電圧（センサレベルＶｉｎ）を検出するための処理部である。このセンサレベル検出部４２はＡ／Ｄ変換器４３を備え、センサレベルＶｉｎをＡ／Ｄ変換してデジタル値として回路内に取り込む。
【００２４】
センサレベル判定部４４は、センサレベルＶｉｎを、汚れ判定基準値ＶＬと比較する処理を行う処理部である。そして、センサレベルＶｉｎが汚れ判定基準値ＶＬよりも大きい場合に、フォトセンサ３１に汚れが発生していると判定する。すなわち、フォトトランジスタ（Ｔｒ）３３と発光ダイオード（ＬＥＤ）３２と間の光路を遮る汚れ（埃など）が発生していると判定する。
【００２５】
警報出力部４５は、センサレベル判定部４４によりフォトセンサ３１が汚れていると判定された場合に、フォトセンサ３１に汚れが発生しているとして警報信号を出力する処理を行う。なお、警報信号は、液晶パネル等の表示部６０に表示するか、または、警報装置（図示せず）を鳴らすことにより、係員に通知される。また、記憶部５０には、センサ汚れ判定基準値（ＶＬ）５１のデータが記憶されている。
【００２６】
なお、Ａ／Ｄ変換器、メモリ、ＣＰＵ（中央処理装置）、および通信機能を内蔵したマイクロコンピュータ（またはマイクロコントローラ）が市販されており、このマイクロコンピュータを使用することにより、特別なハードウェアを追加することなく、センサ汚れ検知回路４０を、発券装置の他の制御機能と共に一体として組み込むことができる。
【００２７】
次に、上記構成のセンサ汚れ検知回路の動作について説明する。
最初に、通常時の動作について説明する。
まず、フォトＯＮ信号をＯＮし、フォトセンサ３１の投光側の発光ダイオード（ＬＥＤ）３２に電流を流す。この発光ダイオード（ＬＥＤ）３２に流す電流は、電源電圧ＶＣＣと抵抗（Ｒ）で決まる固定値である（実際には、発光ダイオード（ＬＥＤ）３２とトランジスタ３５における電圧降下が影響する）。
【００２８】
次に、フォトセンサ３１から出力されるセンサレベルＶｉｎを、比較回路３９内に取り込む。比較回路３９では、センサレベルＶｉｎと論理判定基準値Ｖｒｅｆと比較し、検出物の有無を判定する。
【００２９】
この場合、図２（Ａ）に示すように、
Ｖｉｎ＞Ｖｒｅｆの時、フォトセンサ３１は遮光されており、フォト信号は「検出物有り」の信号となる。
また、Ｖｉｎ＜Ｖｒｅｆの時、フォトセンサ３１は透光されており、フォト信号は「検出物無し」の信号となる。
【００３０】
次に、センサ汚れチェック時の動作について説明する。
まず、フォトＯＮ信号をＯＮし、フォトセンサ３１の投光側の発光ダイオード（ＬＥＤ）３２に電流を流す。この発光ダイオード（ＬＥＤ）３２に流す電流は、電源電圧ＶＣＣと抵抗（Ｒ）３４で決まる固定値である。
【００３１】
次に、フォトセンサ３１から出力されるセンサレベルＶｉｎを、センサレベル検出部４２により回路内に取り込む。センサレベル検出部４２ではセンサレベルＶｉｎをＡ／Ｄ変換器４３によりデジタル信号に変換する。それから、センサレベル判定部４４により、センサレベルＶｉｎと汚れ判定基準値ＶＬと比較し、汚れの有無を判定する。すなわち、フォトトランジスタ（Ｔｒ）３３の出力電圧レベル（センサレベルＶｉｎ）は、受光量が減るに従い増大する。このため、フォトトランジスタ（Ｔｒ）３３または発光ダイオード（ＬＥＤ）３２に汚れが付着すると、フォトトランジスタ（Ｔｒ）３３の受光量が減り、フォトトランジスタ（Ｔｒ）３３のセンサレベルＶｉｎが増大するので、これを汚れ判定基準値ＶＬと比較する。
【００３２】
この場合、図２（Ｂ）に示すように、Ｖｉｎのレベルが低い状態（フォトトランジスタに光が入射する状態）において、
Ｖｉｎ＞ＶＬの時、汚れ検知と判定し、警報を出力する。
Ｖｉｎ＜ＶＬの時、汚れなしと判定し、警報は出力しない。
これにより、フォトセンサ３１のセンサ汚れを検知することができる。
【００３３】
また、センサ汚れ判定基準値ＶＬは、チェック対象となる複数のフォトセンサのそれぞれに対応して用意されており、また、各フォトセンサごとに、汚れの程度を判定するために複数の汚れ判定基準値を設定することができる。このように、汚れ判定基準値を複数設定することで、フォトセンサの清掃の緊急度を操作員に通知することができる。
【００３４】
図３は、汚れ判定基準値を複数設定する場合の、記憶部５０に記憶される汚れ判定基準値５１の例を示す図である。図３に示すように、記憶部５０には、発券装置内で使用されるフォトセンサの機器番号ごとに、汚れの程度（０〜１００％）と、これに対応する汚れ判定基準値とが記録される。
【００３５】
例えば、Ｎｏ．１の「用紙切れ検知センサ」の場合は、センサレベルＶｉｎが、０．９Ｖを超える場合には、汚れの程度は１００％と判定される。０．９Ｖ〜０．８Ｖの間では、汚れの程度は８０％と判定され、０．８Ｖ〜０．７Ｖの間では、６０％と判定される。０．７Ｖ〜０．６Ｖの間では、４０％と判定され、０．６Ｖ〜０．５Ｖの間では、２０％と判定される。また、０．５Ｖ以下の場合は、汚れの程度は０％と判定される。
【００３６】
これにより、各フォトセンサの汚れの程度を検知できるようになり、このフォトセンサの汚れの程度を表示部６０に表示することができる。このため、係員は、汚れの程度の高いフォトセンサを優先して清掃することができる。
【００３７】
［第２の実施の形態］
図１に示した第１の実施の形態では、比較回路３９とセンサ汚れ検知回路４０とを個別に設けた例を示したが、比較回路３９の機能をセンサ汚れ検知回路４０内に取り込むこともできる。
【００３８】
図４は、本発明のセンサ汚れ検知回路の第２の実施の形態を示す図である。
図４に示すセンサ汚れ検知回路４０Ａは、図１に示すセンサ汚れ検知回路４０と比較して、センサ汚れ検知回路４０内に、検出物有無判定部４６が追加されている。また、記憶部５０内に、論理判定基準値（Ｖｒｅｆ）５２のデータが追加されている。
【００３９】
検出物有無判定部４６では、センサレベルＶｉｎと論理判定基準値Ｖｒｅｆと比較し、検出物の有無を判定し、フォト信号として出力する。
【００４０】
この場合、図２（Ａ）に示すように、
Ｖｉｎ＞Ｖｒｅｆの時、フォトセンサ３１は遮光されており、フォト信号は「検出物有り」の信号となる。
また、Ｖｉｎ＜Ｖｒｅｆの時、フォトセンサ３１は透光されており、フォト信号は「検出物無し」の信号となる。
【００４１】
このように、比較回路３９の機能をセンサ汚れ検知回路４０Ａ内に取り込むことにより、ハードウェア構成を簡略化することができる。また、Ａ／Ｄ変換器、メモリ、ＣＰＵ（中央処理装置）、および通信機能を内蔵したマイクロコンピュータ（またはマイクロコントローラ）が市販されており、このマイクロコンピュータを使用することにより、特別なハードウェアを追加することなく、センサ汚れ検知回路４０Ａを、発券装置の他の制御機能と共に一体として組み込むことができる。
【００４２】
［第３の実施の形態］
前述した、第１の実施の形態、および第２の実施の形態では、発券装置内のフォトセンサを対象にしてセンサ汚れ検知を行う例を示したが、駅内で使用される券売シシテムには、発券装置の他に、硬貨・紙幣の取り扱い装置や、プリペイドカード等を扱うカード装置等が使用されており、これらの中にも数多くのフォトセンサが使用されている。
【００４３】
本発明の第３の実施の形態では、券売システムで使用される各装置内のフォトセンサの汚れ検知を集中して管理する例について説明する。
【００４４】
図５は、本発明のセンサ汚れ検知回路の第３の実施の形態を示す図である。
図５に示す例では、券売システム１００内の各装置内にセンサ汚れ検知回路が設備されている。発券装置１には、センサ汚れ検知回路４０が設備され、発券装置１内のフォトセンサのセンサ汚れ検知を行う。硬貨・紙幣取り扱い装置１Ｂには、センサ汚れ検知回路４０Ｂが設備され、硬貨・紙幣取り扱い装置１Ｂ内のフォトセンサのセンサ汚れ検知を行う。カード装置１Ｃには、センサ汚れ検知回路４０Ｃが設備されており、カード装置１Ｃ内のフォトセンサのセンサ汚れ検知を行う。
【００４５】
また、各センサ汚れ検知回路４０、４０Ｂ、４０Ｃは券売システムの制御部１０１と通信接続されている。各センサ汚れ検知回路４０、４０Ｂ、４０Ｃは、券売システムの制御部１０１からの指示により、それぞれに内蔵されたフォトセンサの汚れチェックを行う。そして、センサチェック情報を、券売システムの制御部１０１に返信する。券売システムの制御部１０１は、フォトセンサのチェック情報を表示部１０２に表示する。
【００４６】
これにより、券売システム１００で使用される各装置内のフォトセンサの汚れ情報を一括して集中管理できるようになる。
【００４７】
以上、本発明の実施の形態について説明したが、本発明のセンサ汚れ検知回路は、上述の図示例にのみ限定されるものではなく、本発明の要旨を逸脱しない範囲内において種々変更を加え得ることは勿論である。
【産業上の利用可能性】
【００４８】
本発明においては、センサの汚れを検知し、センサが汚れたことを係員に通知できる効果を奏するので、本発明は、切符等の発券装置に有用である。
【図面の簡単な説明】
【００４９】
【図１】本発明のセンサ汚れ検知回路の第１の実施の形態の構成例を示す図である。
【図２】本発明のセンサ汚れ検知回路の動作説明図である。
【図３】汚れ判定基準値を複数設定する場合の例を示す図である。
【図４】センサ汚れ検知回路の第２の実施の形態の構成例を示す図である。
【図５】センサ汚れ検知回路の第３の実施の形態の構成例を示す図である。
【図６】発券装置の構成例を示す図である。
【図７】従来のフォトセンサ回路の例を示す図である。
【符号の説明】
【００５０】
１…発券装置
１Ｂ…硬貨・紙幣取り扱い装置
１Ｃ…カード装置
２…ロール紙
３…ガイドローラ
４…ロール紙送りローラ
５…ステッピングモータ
６…プラテン
７…印刷ヘッド
８…ロータリーカッタ
１０…ターン部
１１…制御装置
１２…用紙切れ検知センサ
１３…書込みタイミング検知センサ
１４…切符排出検知センサ
２０…エンコード部
３０…フォトセンサ回路
３１…フォトセンサ
３２…発光ダイオード（ＬＥＤ）
３３…フォトトランジスタ（Ｔｒ）
３４…抵抗（Ｒ）
３５…トランジスタ
３９…比較回路
４０、４０Ａ、４０Ｂ、４０Ｃ…センサ汚れ検知回路
４１…制御部
４２…センサレベル検出部
４３…Ａ／Ｄ変換器
４４…センサレベル判定部
４５…警報出力部
４６…検出物有無判定部
５０…記憶部
５１…汚れ判定基準値（ＶＬ）
５２…論理判定基準値（Ｖｒｅｆ）
６０…表示部
１００…券売システム
１０１…券売システムの制御部
１０２…表示部
【図１】
2008041713.tif 000003
【図２】
2008041713.tif 000004
【図３】
2008041713.tif 000005
【図４】
2008041713.tif 000006
【図５】
2008041713.tif 000007
【図６】
2008041713.tif 000008
【図７】
2008041713.tif 000009